(57)【特許請求の範囲】
【請求項１】
光源と、
前記光源からの照射光を拡散させる少なくとも３つ以上の複数のレンズ部材と、
前記光源と前記複数のレンズ部材とが固定される台座部と、
を具備する遊技機の電飾装置であって、
前記各レンズ部材は、前記光源から照射する方向へ向けて膨出した立体的形状により形成されて前記光源からの照射光を拡散させるための立体レンズ部と、前記照射する方向に対して交差する方向の前記立体レンズ部の端部に覆設される底面部と、を具備し、
前記各レンズ部材の底面部は、前記各レンズ部材を位置決めするための嵌合部と、前記各レンズ部材を固定するための固定部と、を具備し、
前記各レンズ部材は、前記光源から照射する方向に順次配置され、
前記順次配置された各レンズ部材のうち相互に隣接するレンズ部材においては、前記照射する方向側の一のレンズ部材の内側に、前記照射する方向と反対側の他のレンズ部材が収容されるとともに、前記一のレンズ部材の立体レンズ部と前記他のレンズ部材の立体レンズ部とが前記照射する方向に所定の間隔をあけた状態で、前記一のレンズ部材の嵌合部と前記他のレンズ部材の嵌合部とが嵌合され、
前記複数のレンズ部材は、前記各レンズ部材の固定部が共締めによって固定され、前記台座部に固定される、
ことを特徴とする遊技機の電飾装置。
【発明の詳細な説明】
【技術分野】
【０００１】
本発明は、遊技機における遊技の演出を行うための電飾装置の技術に関する。
【背景技術】
【０００２】
従来、遊技機における遊技の演出を行うための電飾装置の技術が公知となっている。例えば、特許文献１に記載の如くである。
【０００３】
特許文献１に記載の遊技機の電飾装置は、光源と、前記光源からの照射光を反射させるためのリフレクタと、前記リフレクタによって反射された照射光を拡散させるためのレンズ部材と、を具備する。
【０００４】
光源は、電飾装置の下部であってリフレクタの下方に配置されて、下方からリフレクタを照射する。リフレクタには、左右両側及び上側に複数の反射面が連設され、一方向（照射光を反射する方向側）へ向けて開放された開口が形成される。リフレクタの開口は、略平板状に形成された１枚のレンズ部材によって覆われている。
【０００５】
このような構成により、光源からリフレクタに照射されると、当該リフレクタの複数の反射面によって反射された照射光は、当該リフレクタの開口から分散（照射）される。そして、リフレクタの開口から照射された照射光は、レンズ部材によって拡散される。
【先行技術文献】
【特許文献】
【０００６】
【特許文献１】特開２００８−２９５５６６号公報
【発明の概要】
【発明が解決しようとする課題】
【０００７】
しかしながら、特許文献１に記載の技術によれば、光源からの照射光を分散させ、さらには拡散させることができるが、１枚のレンズ部材によって拡散された照射光は、遊技者からの見え方が比較的単純になり易い（所望する程度に拡散させ難い）という問題点があった。
また、レンズ部材は略板状部材により形成されているので、照射光を拡散させる範囲が比較的狭い範囲となるという問題点があった。
【０００８】
本発明は上記のような問題点に鑑みてなされたものであり、その解決しようとする課題は、立体的形状により形成された複数のレンズ部材を、これらのレンズ部材の底面部で位置決め及び固定することによって、拡散された照射光の遊技者からの見え方を比較的複雑とすることができ（照射光を所望する程度に拡散させることができ）、また、照射光を拡散させる範囲を比較的広範囲とすることができる遊技機の電飾装置を提供することである。
【課題を解決するための手段】
【０００９】
本発明の解決しようとする課題は以上の如くであり、次にこの課題を解決するための手段を説明する。
【００１０】
即ち、請求項１においては、光源と、前記光源からの照射光を拡散させる少なくとも３つ以上の複数のレンズ部材と、前記光源と前記複数のレンズ部材とが固定される台座部と、を具備する遊技機の電飾装置であって、前記各レンズ部材は、前記光源から照射する方向へ向けて膨出した立体的形状により形成されて前記光源からの照射光を拡散させるための立体レンズ部と、前記照射する方向に対して交差する方向の前記立体レンズ部の端部に覆設される底面部と、を具備し、前記各レンズ部材の底面部は、前記各レンズ部材を位置決めするための嵌合部と、前記各レンズ部材を固定するための固定部と、を具備し、前記各レンズ部材は、前記光源から照射する方向に順次配置され、前記順次配置された各レンズ部材のうち相互に隣接するレンズ部材においては、前記照射する方向側の一のレンズ部材の内側に、前記照射する方向と反対側の他のレンズ部材が収容されるとともに、前記一のレンズ部材の立体レンズ部と前記他のレンズ部材の立体レンズ部とが前記照射する方向に所定の間隔をあけた状態で、前記一のレンズ部材の嵌合部と前記他のレンズ部材の嵌合部とが嵌合され、前記複数のレンズ部材は、前記各レンズ部材の固定部が共締めによって固定され、前記台座部に固定されるものである。
【発明の効果】
【００１１】
本発明の効果として、以下に示すような効果を奏する。
【００１２】
請求項１において遊技機の電飾装置は、立体的形状により形成された複数のレンズ部材を、これらのレンズ部材の底面部で位置決め及び固定することによって、拡散された照射光の遊技者からの見え方を比較的複雑とすることができ（照射光を所望する程度に拡散させることができ）、また、照射光を拡散させる範囲を比較的広範囲とすることができる。
【図面の簡単な説明】
【００１３】
【図１】本発明の一実施形態に係る電飾装置を備える遊技機の全体的な構成を示した正面図。
【図２】同じく、遊技機の窓枠が開放された状態の構成を示した上方斜視図。
【図３】同じく、遊技盤の構成を示した正面図。
【図４】（ａ）電飾装置の構成を示した上方斜視図。（ｂ）電飾装置の構成を示した正面図。
【図５】（ａ）電飾装置の構成を示した平面図。（ｂ）電飾装置の構成を示した側面図。
【図６】台座部の構成を示した分解下方斜視図。
【図７】（ａ）第一レンズ部の構成を示した下方斜視図。（ｂ）第一レンズ部の構成を示した上方斜視図。
【図８】（ａ）第二レンズ部の構成を示した下方斜視図。（ｂ）第二レンズ部の構成を示した上方斜視図。
【図９】（ａ）第三レンズ部の構成を示した下方斜視図。（ｂ）第三レンズ部の構成を示した上方斜視図。
【図１０】電飾装置の構成を示した分解下方斜視図。
【図１１】電飾装置の構成を示した分解上方斜視図。
【図１２】（ａ）図４（ｂ）におけるＡ−Ａ線矢視断面図。（ｂ）図１２（ａ）における矢印Ｂに示した範囲の拡大図。
【図１３】光源からの照射光が拡散される状態を示した正面模式図。
【図１４】光源からの照射光が拡散される状態を示した側面模式図。
【図１５】（ａ）第二レンズ底面部の他の実施形態を示した背面模式図。（ｂ）第一レンズ底面部の他の実施形態を示した背面模式図。（ｃ）図１５（ａ）における第二レンズ底面部の他の実施形態と、図１５（ｂ）における第一レンズ底面部の他の実施形態と、が位置決めされた状態を示した背面模式図。
【図１６】（ａ）第三レンズ底面部の他の実施形態を示した平面模式図。（ｂ）第二レンズ底面部の他の実施形態を示した平面模式図。（ｃ）図１６（ａ）における第三レンズ底面部の他の実施形態と、図１６（ｂ）における第二レンズ底面部の他の実施形態と、が位置決めされた状態を示した平面模式図。
【発明を実施するための形態】
【００１４】
先ず、本発明の一実施形態に係る電飾装置３０を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１５】
遊技機１は、図１及び図２が示すように、主として、外枠２と、中枠３と、窓枠４と、により構成される枠体に、各種の遊技部品が取り付けられて形成される。
【００１６】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１８】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００１９】
窓枠４は、略平板状に形成される枠体である。窓枠４は、遊技盤５の前方に配置される。窓枠４は、外枠２の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００２０】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２１】
次に、遊技盤５の構成について、図３を用いてさらに詳細に説明する。
【００２２】
遊技盤５には、ガイドレール１０と、図柄表示装置１１と、図柄表示開口部１２と、一般入賞口１３と、大入賞装置１４と、可変入賞装置１５と、アウト口１６と、電飾装置３０と、が設けられる。
【００２３】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２４】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２５】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２６】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２７】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２８】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２９】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００３０】
次に、電飾装置３０の構成について、図３から図９を用いて詳細に説明する。
【００３１】
電飾装置３０は、発光可能に構成される装置である。電飾装置３０は、発光することにより遊技者に視覚的な印象（インパクト）を与え、その遊技者の興趣を高める。本実施形態においては、図３に示すように、２つの電飾装置３０が配設される。２つの電飾装置３０は、正面視で液晶画面２０の左右上方に配置される。左側の電飾装置３０は、液晶画面２０の左方に配置された右手の形状を模した部材である第一装飾部材１７ａの上に載置される。また、右側の電飾装置３０は、液晶画面２０の右方に配置された左手の形状を模した部材である第二装飾部材１７ｂの上に載置される。
なお、左右の電飾装置３０の構成は略同一であるので、以下では左側の電飾装置３０の構成について説明する。
また、電飾装置３０は、本発明に係る電飾装置の一実施形態である。本発明に係る電飾装置は、電飾装置３０の構成に限定するものではない。
【００３２】
電飾装置３０は、図４から図１１に示すように、主として、台座部４０と、ＬＥＤ５０と、第一レンズ部材６０と、第二レンズ部材７０と、第三レンズ部材８０と、により構成される。
【００３３】
台座部４０は、電飾装置３０の主たる構造体となる部材である。台座部４０には、図４から図１１に示すように、ＬＥＤ５０、第一レンズ部材６０、第二レンズ部材７０、及び第三レンズ部材８０が固定される。
なお、台座部４０は、本発明に係る台座部の一実施形態である。本発明に係る台座部は、台座部４０の構成に限定するものではない。
【００３４】
台座部４０は、図４から図６に示すように、主として、台座部本体４２と、後部カバー４３と、により構成される。
【００３５】
台座部本体４２は、図４から図６に示すように、上方へ向けて徐々に開口された略碗形状に形成される。台座部４０の下側板４１は、板面を上下方向へ向けた略板状部材により形成される。台座部本体４２は、当該台座部本体４２の前側の部位となる前側台座部４２ａと、当該台座部本体４２の後側の部位となる後側台座部４２ｂと、により構成される。前側台座部４２ａと後側台座部４２ｂとは、前後に対向して配置される。
【００３６】
図６に示すように、前側台座部４２ａの下側板４１には、上下方向に貫通した２つのレンズ群固定孔４５ａが形成される。レンズ群固定孔４５ａは、前側台座部４２ａの下側板４１の左右に適宜の間隔をあけて配置される。また、前側台座部４２ａの下側板４１には、上下方向に貫通した２つのレンズ群位置決め孔４６ａが形成される。レンズ群位置決め孔４６ａは、２つのレンズ群固定孔４５ａの間に、左右に適宜の間隔をあけて配置される。
【００３７】
図６に示すように、後側台座部４２ｂの下側板４１には、上下方向に貫通した２つのレンズ群固定孔４５ｂが形成される。レンズ群固定孔４５ｂは、前側台座部４２ａの下側板４１の左右に適宜の間隔をあけて配置される。また、後側台座部４２ｂの下側板４１には、上下方向に貫通した２つのレンズ群位置決め孔４６ｂが形成される。レンズ群位置決め孔４６ｂは、２つのレンズ群固定孔４５ｂの間に、左右に適宜の間隔をあけて配置される。
【００３８】
後部カバー４３は、図４から図６に示すように、後側台座部４２ｂの上端から上方へ向けて延設される。後部カバー４３は、前方へ向けて徐々に開口面積が大きくなる略碗形状に形成される。後部カバー４３は、後側台座部４２ｂに一体的に形成される。図４（ａ）に示すように、後部カバー４３の内側には、電飾基板５１を取り付けるための複数の基板用ボス４６が配設される。基板用ボス４６は、略円筒形状に形成されて、軸心方向を前後方向として前方へ向けて突設される。
【００３９】
ＬＥＤ５０は、光を照射可能に構成される部材である。図４及び図５に示すように、ＬＥＤ５０は、照射する方向を前方として電飾基板５１に実装される。電飾基板５１は、板面を前後方向へ向けた略板状部材により形成される。電飾基板５１は、正面視で、上端が上方へ向けて湾曲した略半円形状に形成される。電飾基板５１には、前後方向に貫通した複数の基板取り付け孔５２が形成される。複数の基板取り付け孔５２は、台座部４０の後部カバー４３に配設された複数の基板用ボス４６とそれぞれ対応する位置に形成される。そして、基板取り付け孔５２と基板用ボス４６とをビスなどの締結部材により締結することで、電飾基板５１が台座部４０の後部カバー４３に組み付けられる。
なお、本実施形態においては、４つのＬＥＤ５０が配設される。４つのＬＥＤ５０は、電飾基板５１の前側面に、左右に適宜な間隔をあけて配置される。
また、ＬＥＤ５０は、本発明に係る光源の一実施形態である。本発明に係る光源は、ＬＥＤ５０の構成に限定するものではない。
【００４０】
第一レンズ部材６０は、ＬＥＤ５０からの照射光を拡散させる部材である。第一レンズ部材６０は、図７に示すように、主として、第一レンズ膨出部６１と、第一レンズ底面部６２と、により構成される。
【００４１】
第一レンズ膨出部６１は、ＬＥＤ５０からの照射光を拡散させるための部位である。第一レンズ膨出部６１は、透過性を有する略透明な部材により形成される。図７に示すように、第一レンズ膨出部６１は、ＬＥＤ５０から照射する方向（前方向）へ向けて膨出した立体的形状により形成される。より詳細には、下側が開放された半球体形状に形成された部材と、軸心方向を上下方向として略円筒形状に形成された部材とが、上下に一体的に配置されて、その後側半分が切り落とされた形状により形成される。従って、第一レンズ膨出部６１は、外側（概ね前方）へ向けて丸みを帯び、その内側が中空となるように形成される。第一レンズ膨出部６１の後側面（内側面）は、一定間隔で水平方向に溝が形成されている。溝の断面形状は、上下方向に波打つ略正弦波形状に形成される。これにより、第一レンズ膨出部６１は、後方から照射された場合に、その照射光を上下複数段に分断すると共に、外方（概ね前方）へ向けて拡散させることができる。
【００４２】
第一レンズ底面部６２は、図７に示すように、板面を上下方向へ向けた略板状部材により形成される。第一レンズ底面部６２は、ＬＥＤ５０から照射する方向（前方向）に対して交差する方向（上下方向）の第一レンズ膨出部６１の端部、即ち第一レンズ膨出部６１の下端（より詳細には、第一レンズ膨出部６１の下端より若干上側）に覆設される。第一レンズ底面部６２は、第一レンズ膨出部６１と一体的であって、当該第一レンズ膨出部６１と同一の部材（透過性を有する略透明な部材）により形成される。なお、第一レンズ底面部６２は、第一レンズ膨出部６１と別体で形成されてもよい。また、第一レンズ底面部６２は、第一レンズ膨出部６１と別部材により形成されてもよい。
第一レンズ底面部６２には、第一レンズ固定部６３と、第一レンズ位置決め突起６５と、が設けられる。
【００４３】
第一レンズ底面部６２の第一レンズ固定部６３は、第一レンズ部材６０を固定するための部位である。より詳細には、第一レンズ固定部６３は、第一レンズ部材６０を他の全てのレンズ部材、即ち第二レンズ部材７０及び第三レンズ部材８０と固定するための部位である。第一レンズ固定部６３は、図７に示すように、第一レンズ固定孔６６と、第一レンズ固定ボス６７と、により形成される。第一レンズ固定孔６６は、平面視で第一レンズ底面部６２の略中央に配置される。第一レンズ固定孔６６は、第一レンズ底面部６２を上下方向に貫通して形成される。第一レンズ固定ボス６７は、略円筒形状に形成され、その内周面にネジ溝が形成される。第一レンズ固定ボス６７は、軸心方向を上下方向として配置され、その上端開口部が第一レンズ固定孔６６に連結される。第一レンズ固定ボス６７の下端は、第一レンズ膨出部６１の下端よりも下方に位置するように形成される。
【００４４】
第一レンズ底面部６２の第一レンズ位置決め突起６５は、第一レンズ部材６０を位置決めするための部位である。より詳細には、第一レンズ位置決め突起６５は、第二レンズ部材７０及び第三レンズ部材８０に固定する第一レンズ部材６０の位置を決めるための部位である。第一レンズ位置決め突起６５は、図７に示すように、軸心方向を上下方向として細長い略円柱形状に形成される。第一レンズ位置決め突起６５は、第一レンズ底面部６２から下方へ向けて突設される。第一レンズ位置決め突起６５の下端は、第一レンズ膨出部６１の下端よりも下方に位置するように形成される。第一レンズ位置決め突起６５は、第一レンズ固定部６３を挟んだ左右両側にそれぞれ配置される。
【００４５】
第二レンズ部材７０は、ＬＥＤ５０からの照射光を拡散させる（より詳細には、第一レンズ部材６０により拡散された照射光をさらに拡散させる）部材である。第二レンズ部材７０は、図８に示すように、主として、第二レンズ膨出部７１と、第二レンズ底面部７２と、により構成される。
【００４６】
第二レンズ膨出部７１は、ＬＥＤ５０からの照射光を拡散させるため（より詳細には、第一レンズ部材６０により拡散された照射光をさらに拡散させるため）の部位である。第二レンズ膨出部７１は、透過性を有する略透明な部材により形成される。図８に示すように、第二レンズ膨出部７１は、ＬＥＤ５０から照射する方向（前方向）へ向けて膨出した立体的形状により形成される。より詳細には、下側が開放された半球体形状に形成された部材と、軸心方向を上下方向として略円筒形状に形成された部材とが、上下に一体的に配置されて、その後側半分が切り落とされた形状により形成される。従って、第二レンズ膨出部７１は、外側（概ね前方）へ向けて丸みを帯び、その内側が中空となるように形成される。第二レンズ膨出部７１の内径は、第一レンズ部材６０の外径よりも大きくなるように形成される。第二レンズ膨出部７１の前側面（外側面）は、多面体カット形状に形成される。これにより、第二レンズ膨出部７１は、後方から照射された場合、その照射光を細分化すると共に、外方（概ね前方）へ向けて拡散させることができる。
【００４７】
第二レンズ底面部７２は、図８に示すように、板面を上下方向へ向けた略板状部材により形成される。第二レンズ底面部７２は、ＬＥＤ５０から照射する方向（前方向）に対して交差する方向（上下方向）の第二レンズ膨出部７１の端部、即ち第二レンズ膨出部７１の下端に覆設される。第二レンズ底面部７２は、第二レンズ膨出部７１と一体的であって、当該第二レンズ膨出部７１と同一の部材（透過性を有する略透明な部材）により形成される。なお、第二レンズ底面部７２は、第二レンズ膨出部７１と別体で形成されてもよい。また、第二レンズ底面部７２は、第二レンズ膨出部７１と別部材により形成されてもよい。
第二レンズ底面部７２には、第二レンズ固定切り欠け部７３と、第二レンズ位置決め切り欠け部７５と、第二レンズ位置決め鍔部７６と、が設けられる。
【００４８】
第二レンズ底面部７２の第二レンズ固定切り欠け部７３は、第二レンズ部材７０を固定するための部位である。より詳細には、第二レンズ固定切り欠け部７３は、第二レンズ部材７０を他の全てのレンズ部材、即ち第一レンズ部材６０及び第三レンズ部材８０と固定するための部位である。第二レンズ固定切り欠け部７３は、図８に示すように、第二レンズ底面部７２の左右略中央において、後端から前方へ向けて平面視で略Ｕ字形状に切り欠いて形成される。第二レンズ固定切り欠け部７３の左右（切り欠け）幅は、第一レンズ底面部６２の第一レンズ固定部６３の第一レンズ固定ボス６７の外径より若干大きく形成される。第二レンズ固定切り欠け部７３の前端は、第一レンズ底面部６２の第一レンズ固定部６３の第一レンズ固定ボス６７に対応する位置に形成される。
【００４９】
第二レンズ底面部７２の第二レンズ位置決め切り欠け部７５は、第二レンズ部材７０を位置決めするための部位である。より詳細には、第二レンズ位置決め切り欠け部７５は、第一レンズ部材６０及び第三レンズ部材８０に固定する第二レンズ部材７０の位置を決めるための部位である。第二レンズ位置決め切り欠け部７５は、図８に示すように、第二レンズ底面部７２の左右に適宜の間隔をあけて配置され、それぞれ後端から前方へ向けて平面視で略Ｕ字形状に切り欠いて形成される。第二レンズ位置決め切り欠け部７５の左右（切り欠け）幅は、第一レンズ底面部６２の第一レンズ位置決め突起６５の外径より若干大きく形成される。第二レンズ位置決め切り欠け部７５の前端は、第一レンズ底面部６２の第一レンズ位置決め突起６５に対応する位置に形成される。
【００５０】
第二レンズ底面部７２の第二レンズ位置決め鍔部７６は、第二レンズ部材７０を位置決めするための部位である。より詳細には、第二レンズ位置決め鍔部７６は、第一レンズ部材６０及び第三レンズ部材８０に固定する第二レンズ部材７０の位置を決めるための部位である。第二レンズ位置決め鍔部７６は、図８に示すように、第二レンズ底面部７２の後端を除く周縁が、水平方向で外方へ向けて延出して形成される。そして、第二レンズ位置決め鍔部７６の周縁は、平面視で第二レンズ膨出部７１の下端よりも外方に位置するように形成される。そして、第二レンズ位置決め鍔部７６の周縁の形状は、平面視で外方へ向けて湾曲した略半円形状に形成される。
なお、第二レンズ位置決め鍔部７６は、その延出方向の幅により、第一レンズ膨出部６１と第二レンズ膨出部７１との間隔（後述する「間隔Ｘ」）を任意の間隔とすることができる。間隔Ｘについての詳細な説明は、後述する。
【００５１】
第三レンズ部材８０は、ＬＥＤ５０からの照射光を拡散させる（より詳細には、第一レンズ部材６０及び第二レンズ部材７０により拡散された照射光をさらに拡散させる）部材である。第一レンズ部材６０は、図９に示すように、主として、第三レンズ膨出部８１と、第三レンズ底面部８２と、により構成される。
【００５２】
第三レンズ膨出部８１は、ＬＥＤ５０からの照射光を拡散させるため（より詳細には、第一レンズ部材６０及び第二レンズ部材７０により拡散された照射光をさらに拡散させるため）の部位である。第三レンズ膨出部８１は、透過性を有する略透明な部材により形成される。図９に示すように、第三レンズ膨出部８１は、ＬＥＤ５０から照射する方向（前方向）へ向けて膨出した立体的形状により形成される。より詳細には、下側が開放された半球体形状に形成された部材と、軸心方向を上下方向として略円筒形状に形成された部材とが、上下に一体的に配置されて、その後側半分が切り落とされた形状により形成される。従って、第三レンズ膨出部８１は、外側（概ね前方）へ向けて丸みを帯び、その内側が中空となるように形成される。第三レンズ膨出部８１の内径は、第二レンズ部材７０の外径よりも大きくなるように形成される。第三レンズ膨出部８１の後側面（内側面）は、一定間隔で水平方向に溝が形成されている。溝の断面形状は、上下方向に波打つ略正弦波形状に形成される。これにより、第三レンズ膨出部８１は、後方から照射された場合、その照射光を上下複数段に分断すると共に、外方（概ね前方）へ向けて拡散させることができる。
【００５３】
第三レンズ底面部８２は、図９に示すように、板面を上下方向へ向けた略板状部材により形成される。第三レンズ底面部８２は、ＬＥＤ５０から照射する方向（前方向）に対して交差する方向（上下方向）の第三レンズ膨出部８１の端部、即ち第三レンズ膨出部８１の下端に覆設される。第三レンズ底面部８２は、第三レンズ膨出部８１と一体的であって、当該第三レンズ膨出部８１と同一の部材（透過性を有する略透明な部材）により形成される。なお、第三レンズ底面部８２は、第三レンズ膨出部８１と別体で形成されてもよい。また、第三レンズ底面部８２は、第三レンズ膨出部８１と別部材により形成されてもよい。
第三レンズ底面部８２には、第三レンズ固定孔８３と、第三レンズ位置決め縁部８４と、第三レンズ位置決め孔８５と、レンズ群固定ボス８６と、レンズ群位置決め突起８７と、が設けられる。
【００５４】
第三レンズ底面部８２の第三レンズ固定孔８３は、第三レンズ部材８０を固定するための部位である。より詳細には、第三レンズ固定孔８３は、第三レンズ部材８０を他の全てのレンズ部材、即ち第一レンズ部材６０及び第二レンズ部材７０と固定するための部位である。第三レンズ固定孔８３は、図９に示すように、第三レンズ底面部８２を上下方向に貫通して形成される。第三レンズ固定孔８３は、平面視で第三レンズ底面部８２の略中央に配置される。第三レンズ固定孔８３は、第一レンズ底面部６２の第一レンズ固定部６３の第一レンズ固定ボス６７と、第二レンズ底面部７２の第二レンズ固定切り欠け部７３の前端と、に対応する位置に形成される。第三レンズ固定孔８３の内径は、第一レンズ固定ボス６７の第一レンズ固定ボス６７の内径と略同一に形成される。
【００５５】
第三レンズ底面部８２の第三レンズ位置決め縁部８４は、第三レンズ部材８０を位置決めするための部位である。より詳細には、第三レンズ位置決め縁部８４は、第一レンズ部材６０及び第二レンズ部材７０に固定する第三レンズ部材８０の位置を決めるための部位である。第三レンズ位置決め縁部８４は、図９に示すように、第三レンズ底面部８２における第三レンズ膨出部８１との接続部である。従って、第三レンズ位置決め縁部８４の形状は、平面視で第三レンズ膨出部８１の内側面の下端形状と一致することとなる。また、第三レンズ位置決め縁部８４の形状は、平面視で第二レンズ底面部７２の第二レンズ位置決め鍔部７６の周縁の形状と対応する形状（略同一形状）となる。
【００５６】
第三レンズ底面部８２の第三レンズ位置決め孔８５は、第三レンズ部材８０を位置決めするための部位である。より詳細には、第三レンズ位置決め孔８５は、第一レンズ部材６０及び第二レンズ部材７０に固定する第三レンズ部材８０の位置を決めるための部位である。第三レンズ位置決め孔８５は、図９に示すように、第三レンズ底面部８２を上下方向に貫通して形成される。第三レンズ位置決め孔８５は、第三レンズ固定孔８３を挟んだ左右両側であって、第一レンズ底面部６２の第一レンズ位置決め突起６５にそれぞれ対応する位置に形成される。第三レンズ位置決め孔８５の内径は、第一レンズ位置決め突起６５の外径より若干大きく形成される。
【００５７】
第三レンズ底面部８２のレンズ群固定ボス８６は、相互に固定された状態の第一レンズ部材６０、第二レンズ部材７０、及び第三レンズ部材８０（以下では、「相互に固定された状態の第一レンズ部材６０、第二レンズ部材７０、及び第三レンズ部材８０」を、「レンズ群１００」と称する。）を、台座部４０に固定するための部位である。レンズ群固定ボス８６は、図９に示すように、平面視で第三レンズ底面部８２の略四隅にそれぞれ配置される。レンズ群固定ボス８６は、軸心方向を上下方向として略円筒状に形成され、その内周面にネジ溝が形成される。レンズ群固定ボス８６は、第三レンズ底面部８２から下方へ向けて突設される。レンズ群固定ボス８６は、前側台座部４２ａのレンズ群固定孔４５ａ及び後側台座部４２ｂのレンズ群固定孔４５ｂにそれぞれ対応する位置に形成される。レンズ群固定ボス８６の内径は、前側台座部４２ａのレンズ群固定孔４５ａ及び後側台座部４２ｂのレンズ群固定孔４５ｂの内径と略同一に形成される。
【００５８】
第三レンズ底面部８２のレンズ群位置決め突起８７は、レンズ群１００を位置決めするための部位である。より詳細には、レンズ群位置決め突起８７は、台座部４０に固定するレンズ群１００の位置を決めるための部位である。レンズ群位置決め突起８７は、図９に示すように、軸心方向を上下方向として細長い略円柱形状に形成される。レンズ群位置決め突起８７は、第三レンズ底面部８２から下方へ向けて突設される。レンズ群位置決め突起８７は、平面視で第三レンズ底面部８２の略四隅であってレンズ群固定ボス８６より左右方向の内側にそれぞれ配置される。レンズ群位置決め突起８７は、それぞれ対応するレンズ群固定ボス８６にリブ８８を介して接続される。レンズ群位置決め突起８７は、前側台座部４２ａのレンズ群位置決め孔４６ａ及び後側台座部４２ｂのレンズ群位置決め孔４６ｂにそれぞれ対応する位置に形成される。レンズ群位置決め突起８７の内径は、前側台座部４２ａのレンズ群位置決め孔４６ａ及び後側台座部４２ｂのレンズ群位置決め孔４６ｂの内径より若干小さく形成される。
【００５９】
なお、第一レンズ部材６０、第二レンズ部材７０、及び第三レンズ部材８０は、本発明に係るレンズ部材の一実施形態である。本発明に係るレンズ部材は、第一レンズ部材６０、第二レンズ部材７０、及び第三レンズ部材８０の構成に限定するものではない。
また、第一レンズ部材６０の第一レンズ膨出部６１、第二レンズ部材７０の第二レンズ膨出部７１、及び第三レンズ部材８０の第三レンズ膨出部８１は、本発明に係るレンズ部材の立体レンズ部の一実施形態である。本発明に係るレンズ部材の立体レンズ部は、第一レンズ部材６０の第一レンズ膨出部６１、第二レンズ部材７０の第二レンズ膨出部７１、及び第三レンズ部材８０の第三レンズ膨出部８１の構成に限定するものではない。例えば、第一レンズ部材６０の第一レンズ膨出部６１、第二レンズ部材７０の第二レンズ膨出部７１、及び第三レンズ部材８０の第三レンズ膨出部８１は、外側（概ね前方）へ向けて丸みを帯びた形状でなくとも、外側（概ね前方）へ向けて略平板状の部材が組み合わされた形状であってもよい。
また、第一レンズ部材６０の第一レンズ底面部６２、第二レンズ部材７０の第二レンズ底面部７２、及び第三レンズ部材８０の第三レンズ底面部８２は、本発明に係るレンズ部材の底面部の一実施形態である。本発明に係るレンズ部材の底面部は、第一レンズ部材６０の第一レンズ底面部６２、第二レンズ部材７０の第二レンズ底面部７２、及び第三レンズ部材８０の第三レンズ底面部８２の構成に限定するものではない。
また、第一レンズ底面部６２の第一レンズ固定部６３、第二レンズ底面部７２の第二レンズ固定切り欠け部７３、及び第三レンズ底面部８２の第三レンズ固定孔８３は、本発明に係る底面部の固定部の一実施形態である。本発明に係るレンズ部材の固定部は、第一レンズ底面部６２の第一レンズ固定部６３、第二レンズ底面部７２の第二レンズ固定切り欠け部７３、及び第三レンズ底面部８２の第三レンズ固定孔８３の構成に限定するものではない。
また、第一レンズ底面部６２の第一レンズ位置決め突起６５、第二レンズ底面部７２の第二レンズ位置決め切り欠け部７５と第二レンズ位置決め鍔部７６、及び第三レンズ底面部８２の第三レンズ位置決め縁部８４と第三レンズ位置決め孔８５は、本発明に係る底面部の嵌合部の一実施形態である。本発明に係る底面部の嵌合部は、第一レンズ底面部６２の第一レンズ位置決め突起６５、第二レンズ底面部７２の第二レンズ位置決め切り欠け部７５と第二レンズ位置決め鍔部７６、及び第三レンズ底面部８２の第三レンズ位置決め縁部８４と第三レンズ位置決め孔８５の構成に限定するものではない。
【００６０】
次に、電飾装置３０の組み付けの構成について、図１０から図１２を用いて詳細に説明する。
【００６１】
先ず、レンズ群１００の組み付けについて説明する。
レンズ群１００の組み付けにおいては、先ず、第二レンズ部材７０が、第三レンズ部材８０に位置決めされる。
【００６２】
図１０及び図１１に示すように、第二レンズ部材７０は、第三レンズ部材８０の後方で当該第三レンズ部材８０に対して上下左右の位置が合わせられる。そして、第二レンズ部材７０は、前方（第三レンズ部材８０の内側）へ向けて移動される。その際に、第二レンズ部材７０の第二レンズ底面部７２が、第三レンズ部材８０の第三レンズ底面部８２に摺動される。つまり、第二レンズ部材７０は、第三レンズ部材８０に対して前方へスライド移動される。
【００６３】
そして、第二レンズ部材７０は、第二レンズ底面部７２の第二レンズ位置決め鍔部７６の周縁が第三レンズ位置決め縁部８４に当接（嵌合）されると、第三レンズ部材８０に対する前方へのスライド移動が規制され、第二レンズ部材７０のスライド移動が終了する。そして、図１２に示すように、第二レンズ部材７０のスライド移動が終了すると、当該第二レンズ部材７０の全部が第三レンズ部材８０の内側に収容される。
なお、第二レンズ固定切り欠け部７３の前端が、第三レンズ固定孔８３の上方に配置される。また、第二レンズ位置決め切り欠け部７５の前端が、第三レンズ位置決め孔８５の上方にそれぞれ配置される。
【００６４】
なお、第三レンズ位置決め縁部８４の形状は、平面視で第二レンズ位置決め鍔部７６の周縁の形状と対応する形状（略同一形状）に形成されている。従って、第二レンズ部材７０のスライド移動が終了した際には、第二レンズ位置決め鍔部７６と第三レンズ位置決め縁部８４とが嵌合されている。ここで、第二レンズ位置決め鍔部７６及び第三レンズ位置決め縁部８４の形状は、平面視で外方へ向けて湾曲した略半円形状に形成されている。従って、第二レンズ位置決め鍔部７６と第三レンズ位置決め縁部８４とが嵌合された状態において、第二レンズ部材７０と第三レンズ部材８０とは、平面視で第二レンズ底面部７２の周回り方向を除いて、第二レンズ部材７０と第三レンズ部材８０との相互の位置関係が維持されている。つまり、相互に隣接するレンズ部材である第二レンズ部材７０と第三レンズ部材８０とは、第二レンズ位置決め鍔部７６と第三レンズ位置決め縁部８４とが嵌合されることによって、（平面視で第二レンズ底面部７２の周回り方向を除いた）位置決めが行われるのである。
なお、第二レンズ部材７０と第三レンズ部材８０との、平面視で第二レンズ底面部７２の周回り方向の位置決めは、第一レンズ部材６０（より詳細には、第一レンズ底面部６２の第一レンズ位置決め突起６５）を用いて行われるものであり、かかる位置決めについての詳細な説明は、後述する。
【００６５】
なお、第二レンズ部材７０は、第三レンズ部材８０に対する前方へのスライド移動により位置決めされるので、第二レンズ部材７０を、位置決めのために上方から移動させる必要がない。つまり、第三レンズ部材８０の内側にて、位置決めされた第二レンズ部材７０の上方における空間の設計自由度を向上させることができる。
【００６６】
以上のように、第二レンズ部材７０と第三レンズ部材８０との（平面視で第二レンズ底面部７２の周回り方向を除いた）位置決めが行われた場合、図１２に示すように、第二レンズ膨出部７１と第三レンズ膨出部８１とが所定の間隔をあけた状態となっている。より詳細には、第二レンズ部材７０と第三レンズ部材８０との位置決めは、第二レンズ底面部７２（より詳細には、第二レンズ底面部７２の第二レンズ位置決め鍔部７６）と第三レンズ底面部８２（より詳細には、第三レンズ位置決め縁部８４）とにより行われている。従って、第二レンズ部材７０と第三レンズ部材８０との位置決めに用いられない部位である第二レンズ膨出部７１と第三レンズ膨出部８１とは、相互の形状や位置関係を任意に設定することができるのである（以下では、本実施形態における第二レンズ膨出部７１と第三レンズ膨出部８１との間隔を「間隔Ｘ」と称する。）。
なお、間隔Ｘは、第二レンズ位置決め鍔部７６の延出方向の幅を変更することにより、任意の間隔とすることができる。
【００６７】
次に、レンズ群１００の組み付けにおいては、第一レンズ部材６０が、第二レンズ部材７０及び第三レンズ部材８０に位置決めされる。
【００６８】
図１０及び図１１に示すように、第一レンズ部材６０は、第二レンズ部材７０及び第三レンズ部材８０の後方で当該第二レンズ部材７０及び当該第三レンズ部材８０に対して上下左右の位置が合わせられる。そして、第一レンズ部材６０は、前方（第二レンズ部材７０の内側）へ向けて移動される。その際に、第一レンズ底面部６２の第一レンズ固定部６３及び第一レンズ位置決め突起６５が、それぞれ第二レンズ底面部７２の第二レンズ固定切り欠け部７３内及び第二レンズ位置決め切り欠け部７５内にこれらの後側の開口部から移動される。また、第一レンズ底面部６２の第一レンズ位置決め突起６５の下端は、第二レンズ底面部７２の第二レンズ位置決め切り欠け部７５を介して第二レンズ底面部７２から下方へ僅かに突出されている。そして、第一レンズ位置決め突起６５の下端が、第三レンズ底面部８２に摺動される。つまり、第一レンズ部材６０は、第二レンズ部材７０及び第三レンズ部材８０に対して前方へスライド移動される。
【００６９】
なお、第一レンズ部材６０のスライド移動の際には、第一レンズ位置決め突起６５と第一レンズ固定部６３とが、それぞれ第二レンズ底面部７２の第二レンズ固定切り欠け部７３内と第二レンズ位置決め切り欠け部７５内とに沿って、切り欠け方向（前方向）へ向けて移動される。このように、第一レンズ部材６０は、第二レンズ部材７０及び第三レンズ部材８０に対して前方へスライド移動する際に、第二レンズ底面部７２の第二レンズ固定切り欠け部７３と第二レンズ位置決め切り欠け部７５とよって、これらの切り欠け方向（前方向）へ向けて案内されることとなる。
【００７０】
そして、第一レンズ部材６０は、第一レンズ底面部６２の第一レンズ固定部６３及び第一レンズ位置決め突起６５が、それぞれ第二レンズ底面部７２の第二レンズ固定切り欠け部７３及び第二レンズ位置決め切り欠け部７５の前端に当接（嵌合）されると、第二レンズ部材７０及び第三レンズ部材８０に対する前方へのスライド移動が規制され、第一レンズ部材６０のスライド移動が終了する。そして、図１２に示すように、第一レンズ部材６０のスライド移動が終了すると、当該第一レンズ部材６０の全部が第二レンズ部材７０の内側に収容される。そして、第一レンズ固定部６３の第一レンズ固定ボス６７が、第二レンズ固定切り欠け部７３を介して第三レンズ固定孔８３の上方に配置される。
【００７１】
また、第一レンズ部材６０のスライド移動が終了した際には、第一レンズ底面部６２の第一レンズ固定部６３と第一レンズ位置決め突起６５とが、それぞれ第二レンズ底面部７２の第二レンズ固定切り欠け部７３の前端と第二レンズ位置決め切り欠け部７５の前端とに、当接（嵌合）される。また、第一レンズ底面部６２の第一レンズ位置決め突起６５の下端は、第三レンズ位置決め孔８５に上方から嵌合される。従って、第一レンズ位置決め突起６５と第二レンズ位置決め切り欠け部７５と第三レンズ位置決め孔８５とが嵌合された状態において、第一レンズ部材６０と、第二レンズ部材７０及び第三レンズ部材８０と、の相互の位置関係が維持されている。つまり、第一レンズ部材６０と、（相互に隣接するレンズ部材である）第二レンズ部材７０及び第三レンズ部材８０と、は、第一レンズ位置決め突起６５と第二レンズ位置決め切り欠け部７５と第三レンズ位置決め孔８５とが嵌合されることによって、位置決めが行われるものである。
【００７２】
また、第一レンズ位置決め突起６５と第二レンズ位置決め切り欠け部７５と第三レンズ位置決め孔８５とが嵌合された状態において、第二レンズ部材７０と第三レンズ部材８０との平面視で第二レンズ底面部７２の周回り方向の相互の位置関係が維持されている。つまり、第二レンズ部材７０と第三レンズ部材８０とは、第一レンズ位置決め突起６５と第二レンズ位置決め切り欠け部７５と第三レンズ位置決め孔８５とが嵌合されることによって、平面視で第二レンズ底面部７２の周回り方向の位置決めが行われるものである。
【００７３】
ここで、第一レンズ位置決め突起６５は、第一レンズ底面部６２において左右両側にそれぞれ配置されている。そして、左右の第一レンズ位置決め突起６５の間隔があくほど（左右の第一レンズ位置決め突起６５が離間するほど）、第一レンズ部材６０と、第二レンズ部材７０及び第三レンズ部材８０と、の相互の位置関係が確実に維持されることとなる。従って、左右の第一レンズ位置決め突起６５の間隔は、出来るだけ離間させることが望ましい。
【００７４】
また、第一レンズ部材６０は、第二レンズ部材７０及び第三レンズ部材８０に対する前方へのスライド移動により位置決めされるので、第一レンズ部材６０を、位置決めのために上方から移動させる必要がない。つまり、第二レンズ部材７０の内側にて、位置決めされた第一レンズ部材６０の上方における空間の設計自由度を向上させることができる。
【００７５】
また、本実施形態においては、第一レンズ部材６０のスライド移動が終了した際には、第一レンズ固定部６３と第二レンズ固定切り欠け部７３の前端とが当接（嵌合）されている。つまり、第一レンズ固定部６３と第二レンズ固定切り欠け部７３とは、第一レンズ部材６０と第二レンズ部材７０とを固定するという本来の役割に加えて、第一レンズ部材６０と第二レンズ部材７０とを位置決めする役割を有している。
【００７６】
以上のように、第一レンズ部材６０と、第二レンズ部材７０及び第三レンズ部材８０と、の位置決めが行われた場合、図１２に示すように、第一レンズ部材６０の第一レンズ膨出部６１と第二レンズ部材７０の第二レンズ膨出部７１とが所定の間隔をあけた状態となっている。より詳細には、第一レンズ部材６０と、第二レンズ部材７０及び第三レンズ部材８０と、の位置決めは、第一レンズ底面部６２（より詳細には、第一レンズ位置決め突起６５及び第一レンズ固定部６３）と第二レンズ底面部７２（より詳細には、第二レンズ位置決め切り欠け部７５及び第二レンズ固定切り欠け部７３）とにより行われている。従って、第一レンズ部材６０と、第二レンズ部材７０及び第三レンズ部材８０と、の位置決めに用いられない部位である第一レンズ膨出部６１と第二レンズ膨出部７１とは、相互の形状や位置関係を任意に設定することができるのである（以下では、本実施形態における第一レンズ膨出部６１と第二レンズ膨出部７１と間隔を「間隔Ｙ」と称する。）。
【００７７】
このような構成により、第一レンズ部材６０と第二レンズ部材７０と第三レンズ部材８０との相互の位置決めが完了する。
【００７８】
次に、レンズ群１００の組み付けにおいては、相互に位置決めされた第一レンズ部材６０と第二レンズ部材７０と第三レンズ部材８０とが締結部材９０によって固定される。
【００７９】
図１０及び図１１に示すように、第一レンズ部材６０と第二レンズ部材７０と第三レンズ部材８０とが相互に位置決めされた状態において、第一レンズ部材６０の第一レンズ固定部６３と、第二レンズ部材７０の第二レンズ固定切り欠け部７３と、第三レンズ部材８０の第三レンズ固定孔８３とが、相互に対応する位置に配置されている。より詳細には、第一レンズ固定部６３の第一レンズ固定ボス６７と第三レンズ固定孔８３とが、第二レンズ固定切り欠け部７３の前端を介して、それぞれの軸心方向を重複させた状態で上下に配置される。そして、第一レンズ部材６０の第一レンズ底面部６２は、第二レンズ部材７０の第二レンズ底面部７２に当接される。また、第二レンズ部材７０の第二レンズ底面部７２は、第三レンズ部材８０の第三レンズ底面部８２に当接される。そして、下方から締結部材９０が、第三レンズ固定孔８３と、第一レンズ固定部６３の第一レンズ固定ボス６７と、に螺合される。これにより、第二レンズ固定切り欠け部７３は、第一レンズ固定部６３と第三レンズ固定孔８３とにより共締めされる。第二レンズ底面部７２は、第一レンズ底面部６２と第三レンズ底面部８２との間に挟持される。つまり、第一レンズ部材６０と第二レンズ部材７０と第三レンズ部材８０とが相互に固定される（レンズ群１００が形成される）。
【００８０】
このような構成により、１つの締結部材９０によって第一レンズ部材６０と第二レンズ部材７０と第三レンズ部材８０とが固定される（レンズ群１００が形成される）ので、レンズ群１００の組み付け工程を簡易とすることができる。
また、レンズ群１００の組み付けはレンズ群１００を構成する各レンズ部材（第一レンズ部材６０、第二レンズ部材７０、及び第三レンズ部材８０）の底面部（第一レンズ底面部６２、第二レンズ底面部７２、及び第三レンズ底面部８２）によってのみ行われる。従って、レンズ群１００において、照射光を拡散させる部位である各レンズ部材（第一レンズ部材６０、第二レンズ部材７０、及び第三レンズ部材８０）の膨出部（第一レンズ膨出部６１、第二レンズ膨出部７１、及び第三レンズ膨出部８１）は、相互の形状や位置関係を任意に設定することができる。
【００８１】
次に、レンズ群１００が、台座部４０に組み付けられる。
【００８２】
先ず、レンズ群１００の台座部４０への組み付けの前に、ＬＥＤ５０が台座部４０に組み付けられる。図４及び図５に示すように、ＬＥＤ５０の台座部４０への組み付けは、当該ＬＥＤ５０が実装された電飾基板５１が台座部４０に組み付けられることにより行われる。電飾基板５１は、台座部４０の後部カバー４３の前方で当該後部カバー４３に対して上下左右に位置が合わせられる。そして、電飾基板５１は、後方（後部カバー４３の内側）へ向けて移動される。そして、電飾基板５１の基板取り付け孔５２が、それぞれ対応する後部カバー４３の基板用ボス４６の前方に配置される。そして、基板取り付け孔５２と基板用ボス４６とが、図示せぬ締結部材により固定される。これにより、ＬＥＤ５０が、台座部４０に組み付けられる。
【００８３】
レンズ群１００は、図１０及び図１１に示すように、台座部４０の上方で当該台座部本体４２に対して前後左右の位置が合わせられる。そして、レンズ群１００は、下方（台座部本体４２の内側）へ向けて移動される。そして、レンズ群１００は、第三レンズ部材８０のレンズ群位置決め突起８７が、前側台座部４２ａのレンズ群位置決め孔４６ａ及び後側台座部４２ｂのレンズ群位置決め孔４６ｂに上方から嵌合されると、台座部本体４２に対する下方への移動が規制され、レンズ群１００の移動が終了する。そして、レンズ群１００の移動が終了すると、第三レンズ部材８０のレンズ群固定ボス８６が、前側台座部４２ａのレンズ群固定孔４５ａ及び後側台座部４２ｂのレンズ群固定孔４５ｂにそれぞれ対応する位置に配置される。
【００８４】
そして、レンズ群位置決め突起８７が、前側台座部４２ａのレンズ群位置決め孔４６ａ及び後側台座部４２ｂのレンズ群位置決め孔４６ａに嵌合された状態において、レンズ群１００と台座部本体４２（台座部４０）との相互の位置関係が維持されている。つまり、レンズ群１００と台座部４０とは、レンズ群位置決め突起８７と、前側台座部４２ａのレンズ群位置決め孔４６ａ及び後側台座部４２ｂのレンズ群位置決め孔４６ａと、が嵌合されることによって、位置決めが行われるものである。
【００８５】
そして、第三レンズ部材８０のレンズ群固定ボス８６と、前側台座部４２ａのレンズ群固定孔４５ａ及び後側台座部４２ｂのレンズ群固定孔４５ｂと、が下方から図示せぬ締結部材に螺合される。これにより、レンズ群１００と台座部４０とが固定され、レンズ群１００の台座部４０への組み付けが完了する。
【００８６】
このような構成により、レンズ群１００と台座部４０との組み付け（レンズ群１００と台座部４０との位置決め及び固定）が、レンズ群１００を構成する各レンズ部材（第一レンズ部材６０、第二レンズ部材７０、及び第三レンズ部材８０）の底面部（第一レンズ底面部６２、第二レンズ底面部７２、及び第三レンズ底面部８２）によってのみ行われる。従って、レンズ群１００において、照射光を拡散させる部位である各レンズ部材（第一レンズ部材６０、第二レンズ部材７０、及び第三レンズ部材８０）の膨出部（第一レンズ膨出部６１、第二レンズ膨出部７１、及び第三レンズ膨出部８１）は、相互の形状や位置関係を任意に設定することができる。
また、レンズ群１００と台座部４０との組み付けのための部材を、レンズ群１００の下方以外（即ち、レンズ群１００の前、左右、又は上方）に設ける必要がない。つまり、電飾装置３０からの発光が、レンズ群１００と台座部４０との組み付けのための部材により阻害されることがない。
【００８７】
また、レンズ群１００と台座部４０とが組み付けられた状態において、当該レンズ群１００の下部は正面視で台座部４０の上端よりも下方に位置するように形成される。従って、レンズ群１００の組み付け、及び当該レンズ群１００と台座部４０との組み付けに用いられた各レンズ部材（第一レンズ部材６０、第二レンズ部材７０、及び第三レンズ部材８０）の底面部（第一レンズ底面部６２、第二レンズ底面部７２、及び第三レンズ底面部８２）は、前方から遊技者が視認できない位置に形成される。換言すれば、レンズ群１００において、照射光を拡散させる部位である各レンズ部材（第一レンズ部材６０、第二レンズ部材７０、及び第三レンズ部材８０）の膨出部（第一レンズ膨出部６１、第二レンズ膨出部７１、及び第三レンズ膨出部８１）は、その略全部を前方から遊技者が視認できることとなる。つまり、正面視にて電飾装置３０における発光可能な部位（膨出部）が占める割合を比較的大きくすることができるので、遊技者に視覚的な印象（インパクト）を与え、その遊技者の興趣を高めることができる。
【００８８】
また、電飾装置３０は、ＬＥＤ５０が前方へ向けて照射すると、その照射光が第一レンズ部材６０の第一レンズ膨出部６１によって拡散される。また、第一レンズ部材６０の第一レンズ膨出部６１によって拡散された照射光は、内側から第二レンズ部材７０の第二レンズ膨出部７１を照射することによってさらに拡散される。また、第一レンズ部材６０の第一レンズ膨出部６１及び第二レンズ部材７０の第二レンズ膨出部７１によって拡散された照射光は、内側から第三レンズ部材８０の第三レンズ膨出部８１を照射することによってさらに拡散される。つまり、ＬＥＤ５０からの照射光は、当該ＬＥＤ５０から前方へ向けて照射されるものであるが、図１３及び図１４に示すように、第一レンズ膨出部６１、第二レンズ膨出部７１、及び第三レンズ膨出部８１によって外方へ向けて徐々に拡散されることによって、電飾装置３０が前方へ向けて発光されると共に、上方及び左右方向へ向けても発光されるように構成される。よって、電飾装置３０は、ＬＥＤ５０からの照射光が拡散する範囲を比較的広範囲とすることができる。
【００８９】
また、電飾装置３０は、第一レンズ膨出部６１と、第二レンズ膨出部７１と、第三レンズ膨出部８１とが、相互に所定の間隔をあけた状態で配置されている。従って、ＬＥＤ５０から照射されて第一レンズ膨出部６１によって拡散された照射光は、図１３及び図１４に示すように、第一レンズ膨出部６１と第二レンズ膨出部７１との間、即ち、間隔Ｙを外方へ向けて拡散される。つまり、第一レンズ膨出部６１が第二レンズ膨出部７１と当接して当該第一レンズ膨出部６１と当該第二レンズ膨出部７１との間に間隔が無い場合と比較して、第一レンズ膨出部６１によって拡散された照射光は、より拡散された状態で第二レンズ膨出部７１を照射することができる。また、これと同様に、第二レンズ膨出部７１によって拡散された照射光は、図１３及び図１４に示すように、第二レンズ膨出部７１と第三レンズ膨出部８１との間、即ち、間隔Ｘを外方へ向けて拡散される。つまり、第二レンズ膨出部７１が第三レンズ膨出部８１と当接して当該第二レンズ膨出部７１と当該第三レンズ膨出部８１との間に間隔が無い場合と比較して、第二レンズ膨出部７１によって拡散された照射光は、より拡散された状態で第三レンズ膨出部８１を照射することができる。
【００９０】
また、間隔Ｘ及び間隔Ｙの間隔（長さ）を任意に変更することによって、第一レンズ膨出部６１によって拡散された照射光が第二レンズ膨出部７１及び第三レンズ膨出部８１によって拡散される状態の程度を任意に変更することができる。つまり、間隔Ｘ及び間隔Ｙの間（長さ）を任意に変更することによって、拡散された照射光の遊技者からの見え方を比較的複雑とすることができる（照射光を所望する程度に拡散させることができる）。
【００９１】
また、電飾装置３０において、ＬＥＤ５０は、各レンズ部材（第一レンズ部材６０、第二レンズ部材７０、及び第三レンズ部材８０）の膨出部（第一レンズ膨出部６１、第二レンズ膨出部７１、及び第三レンズ膨出部８１）の後方に配置されている。そして、ＬＥＤ５０は、複数の膨出部（第一レンズ膨出部６１、第二レンズ膨出部７１、及び第三レンズ膨出部８１）の後方に配置されているため、遊技者が前方から電飾装置３０を視認した場合であっても、当該ＬＥＤ５０を明確に視認することができない（遊技者がＬＥＤ５０を認識することができない）。従って、遊技機１における遊技の演出のため、遊技者にＬＥＤ５０を認識させたくない場合に、例えばＬＥＤ５０を電飾装置３０の下部（遊技者から視認できない場所）に配置して、下方から当該ＬＥＤ５０の上方に配設したリフレクタを照射する構成と比較して、リフレクタを必要とせず、また、電飾装置３０の下部にＬＥＤ５０を配置する場所を必要としないので、電飾装置３０の構成を簡易とすることができる。
【００９２】
また、電飾装置３０において、４つのＬＥＤ５０が、左右に適宜な間隔をあけて配置されている。従って、この４つのＬＥＤ５０を左右一側から他側へ向けて順次点灯させる一方で、その一側から他側へ向けて順次消灯させることによって、光源（本実施形態においては、４つのＬＥＤ５０）が電飾装置３０（より詳細には、レンズ群１００）の内側であたかも回転しているように（いわゆる回転灯のように）遊技者に認識させることができる。これにより、例えばＬＥＤ５０からの照射光を反射しながら回転するリフレクタが配設される構成と比較して、リフレクタを必要とせず、またリフレクタを回転駆動させる駆動手段等を必要としないので、電飾装置３０の構成を簡易とすることができる。
【００９３】
次に、本発明に係る嵌合部の別実施形態について説明する。
【００９４】
図１５（ｂ）に示すように、第一レンズ部材１６０の第一レンズ底面部１６２の第一レンズ位置決め突起１６５は、平面視で第一レンズ底面部１６２の略中央に配置される。第一レンズ位置決め突起１６５は、第一レンズ底面部１６２から下方へ向けて突設された略円筒形状の第一レンズ円筒部材１６６と、当該第一レンズ円筒部材１６６から前方へ向けて細長く突設された第一レンズ細長部材１６７と、により形成される。
また、図１５（ａ）に示すように、第二レンズ部材１７０の第二レンズ底面部１７２の第二レンズ位置決め切り欠け部１７５は、第二レンズ底面部１７２の左右略中央において、後端から前方へ向けて平面視で略Ｕ字形状に切り欠いて形成される。第二レンズ位置決め切り欠け部１７５の左右（切り欠け）幅は、第一レンズ底面部１６２の第一レンズ位置決め突起１６５の外径より若干大きく形成される。また、第二レンズ位置決め切り欠け部１７５の前端は、平面視で第一レンズ位置決め突起１６５の第一レンズ細長部材１６７と略同一形状であって当該第一レンズ細長部材１６７よりも若干大きく切り欠いて形成される。また、第二レンズ底面部１７２の第二レンズ位置決め切り欠け部１７５の前端は、第一レンズ底面部１６２の第一レンズ位置決め突起１６５に対応する位置に形成される。
【００９５】
このような構成により、図１５（ｃ）に示すように、第一レンズ位置決め突起１６５と第二レンズ位置決め切り欠け部１７５とが嵌合された状態において、第一レンズ部材１６０と第二レンズ部材１７０との位置関係が維持されている。つまり、第一レンズ部材１６０と第二レンズ部材１７０とは、第一レンズ位置決め突起１６５と第二レンズ位置決め切り欠け部１７５とが嵌合されることによって、位置決めを行うことができる。
なお、かかる構成においては、平面視で第二レンズ底面部１７２の周回り方向の位置決めも行われている。
また、かかる構成においては、第一レンズ位置決め突起１６５と第二レンズ位置決め切り欠け部１７５とは、第一レンズ部材１６０と第二レンズ部材１７０とを位置決めするという本来の役割に加えて、第一レンズ部材１６０と第二レンズ部材１７０とを固定する固定部としての役割を有することができる。つまり、第一レンズ底面部１６２及び第二レンズ底面部１７２に、嵌合部と固定部とを別個に設ける必要がないので、第一レンズ底面部１６２及び第二レンズ底面部１７２の構成を簡易とすることができる。
【００９６】
なお、第一レンズ位置決め突起１６５の平面視における形状、及び第二レンズ位置決め切り欠け部１７５の前端の切り欠け形状は、上記の形状に限定するものではない。即ち、第一レンズ位置決め突起１６５の平面視における形状、及び第二レンズ位置決め切り欠け部１７５の前端の切り欠け形状は、平面視で略円形状であって当該略円形状から左右に細長形状が突設された形状であったり、平面視で略Ｄ字形状であったり、平面視で略小判形状であってもよい。
【００９７】
また、図１６（ｂ）に示すように、第二レンズ部材２７０の第二レンズ底面部２７２の第二レンズ位置決め鍔部２７６は、第二レンズ底面部２７２の後端を除く周縁が、水平方向で外方へ向けて延出して形成される。そして、第二レンズ位置決め鍔部２７６の周縁は、平面視で第二レンズ膨出部２７１の下端よりも外方に位置するように形成される。そして、第二レンズ位置決め鍔部２７６の周縁の形状は、平面視で外方へ向けて湾曲した略半円形状に形成される。また、第二レンズ位置決め鍔部２７６の周縁には、前端から後方へ向けて平面視で略Ｕ字形状に切り欠いて形成された第二レンズ切り欠け部２７８が左右に適宜の間隔をあけて配置される。
また、図１６（ａ）に示すように、第三レンズ部材２８０の第三レンズ底面部２８２の第三レンズ位置決め縁部２８４は、第三レンズ底面部２８２における第三レンズ膨出部２８１との接続部である。第三レンズ位置決め縁部２８４の形状は、平面視で第三レンズ膨出部２８１の内側面の下端形状と一致することとなる。また、第三レンズ位置決め縁部２８４には、後方へ向けて細長く突設された第三レンズ突設部２８８が形成される。第三レンズ突設部２８８は、左右に適宜の間隔をあけて第二レンズ位置決め鍔部２７６の第二レンズ切り欠け部２７８に対応する位置に形成される。また、第三レンズ突設部２８８は、第二レンズ切り欠け部２７８と略同一形状であって当該第二レンズ切り欠け部２７８より若干小さく形成される。
【００９８】
このような構成により、図１６（ｃ）に示すように、第二レンズ位置決め鍔部２７６（より詳細には、第二レンズ切り欠け部２７８）と第三レンズ位置決め縁部２８４（より詳細には、第三レンズ突設部２８８）とが嵌合された状態において、第二レンズ部材２７０と第三レンズ部材２８０との位置関係が維持されている。つまり、第二レンズ部材２７０と第三レンズ部材２８０とは、第二レンズ位置決め鍔部２７６（より詳細には、第二レンズ切り欠け部２７８）と第三レンズ位置決め縁部２８４（より詳細には、第三レンズ突設部２８８）とが嵌合されることによって、位置決めを行うことができる。
なお、かかる構成においては、平面視で第二レンズ底面部２７２の周回り方向の位置決めも行われている。
【００９９】
以上のように、
遊技機１の電飾装置３０は、
ＬＥＤ５０（光源）と、
前記光源からの照射光を拡散させる第一レンズ部材６０、第二レンズ部材７０、及び第三レンズ部材８０（少なくとも３つ以上の複数のレンズ部材）と、
前記光源と前記複数のレンズ部材とが固定される台座部４０と、
を具備する遊技機の電飾装置であって、
前記各レンズ部材は、前記光源から前方向（照射する方向）へ向けて膨出した立体的形状により形成されて前記光源からの照射光を拡散させるための第一レンズ膨出部６１、第二レンズ膨出部７１、及び第三レンズ膨出部８１（立体レンズ部）と、前記照射する方向に対して交差する方向の前記立体レンズ部の端部に覆設される第一レンズ底面部６２、第二レンズ底面部７２、及び第三レンズ底面部８２（底面部）と、を具備し、
前記各レンズ部材の底面部は、前記各レンズ部材を位置決めするための嵌合部（第一レンズ底面部６２の第一レンズ位置決め突起６５、第二レンズ底面部７２の第二レンズ位置決め切り欠け部７５と第二レンズ位置決め鍔部７６、及び第三レンズ底面部８２の第三レンズ位置決め縁部８４と第三レンズ位置決め孔８５）と、前記各レンズ部材を固定するための固定部（第一レンズ底面部６２の第一レンズ固定部６３、第二レンズ底面部７２の第二レンズ固定切り欠け部７３、及び第三レンズ底面部８２の第三レンズ固定孔８３）と、を具備し、
前記各レンズ部材は、前記光源から照射する方向に順次配置され、
前記順次配置された各レンズ部材のうち相互に隣接するレンズ部材においては、前記照射する方向側の一のレンズ部材の内側に、前記照射する方向と反対側の他のレンズ部材が収容されるとともに、前記一のレンズ部材の立体レンズ部と前記他のレンズ部材の立体レンズ部とが前記照射する方向に所定の間隔をあけた状態で、前記一のレンズ部材の嵌合部と前記他のレンズ部材の嵌合部とが嵌合され、
前記複数のレンズ部材は、前記各レンズ部材の固定部が共締めによって固定され、前記台座部に固定される、ものである。
【０１００】
これによって、遊技機１の電飾装置３０は、立体的形状により形成された第一レンズ部材６０、第二レンズ部材７０、及び第三レンズ部材８０を、第一レンズ部材６０、第二レンズ部材７０、及び第三レンズ部材８０の、第一レンズ底面部６２、第二レンズ底面部７２、及び第三レンズ底面部８２で位置決め及び固定することによって、拡散された照射光の遊技者からの見え方を比較的複雑とすることができ（照射光を所望する程度に拡散させることができ）、また、照射光を拡散させる範囲を比較的広範囲とすることができる。
【符号の説明】
【０１０１】
１：遊技機，３０：電飾装置，４０：台座部，５０：ＬＥＤ，６０：第一レンズ部材，６１：第一レンズ膨出部，６２：第二レンズ底面部，６３：第一レンズ固定部，６５：第一レンズ位置決め突起，７０：第二レンズ部材，７１：第二レンズ膨出部，７２：第二レンズ底面部，７３：第二レンズ固定切り欠け部，７５：第二レンズ位置決め切り欠け部，７６：第二レンズ位置決め鍔部，８０：第三レンズ部材，８１：第三レンズ膨出部，８２：第三レンズ底面部，８３：第三レンズ固定孔，８４：第三レンズ位置決め縁部，８５：第三レンズ位置決め孔
【図１】
0005585477.tif 000002
【図２】
0005585477.tif 000003
【図３】
0005585477.tif 000004
【図４】
0005585477.tif 000005
【図５】
0005585477.tif 000006
【図６】
0005585477.tif 000007
【図７】
0005585477.tif 000008
【図８】
0005585477.tif 000009
【図９】
0005585477.tif 000010
【図１０】
0005585477.tif 000011
【図１１】
0005585477.tif 000012
【図１２】
0005585477.tif 000013
【図１３】
0005585477.tif 000014
【図１４】
0005585477.tif 000015
【図１５】
0005585477.tif 000016
【図１６】
0005585477.tif 000017